(57)【要約】  【課題】  ワイヤーハーネスに係止部材等を取り付けることなく、非常に簡単な作業でワイヤーハーネスを配索できるワイヤーハーネス配索構造を提供する。  【解決手段】  ラジエータサポート１２に保持されたラジエータ１０の上部を横断して配索されるワイヤーハーネス１６の配索構造において、ラジエータサポート１２の上部を覆うラジエータサポートカバー１４にワイヤーハーネス１６を通す溝状空間１８を設け、この溝状空間１８にワイヤーハーネス１６を配索する。溝状空間１８の両側の縁に相当する部分に係止突起２０と係止穴２２を設け、これらを、溝状空間１８の両側の縁を狭めるようにして互いに係合させることにより、溝状空間に配索されたワイヤーハーネス１６を溝状空間の内壁１８ａで押圧固定する。【選択図】    図２
2005297627.tif 000002
【特許請求の範囲】
【請求項１】
ラジエータサポートに保持されたラジエータの上部を横断して配索されるワイヤーハーネスの配索構造において、前記ラジエータサポートの上部を覆うラジエータサポートカバーにワイヤーハーネスを通す溝状空間を設け、この溝状空間にワイヤーハーネスを配索したことを特徴とするワイヤーハーネス配索構造。
【請求項２】
請求項１記載のワイヤーハーネス配索構造であって、前記溝状空間の両側の縁に相当する部分に係止部を設け、これらの係止部を前記溝状空間の両側の縁を狭めるようにして互いに係合させることにより、溝状空間に配索されたワイヤーハーネスを溝状空間の内壁で押圧固定したことを特徴とするワイヤーハーネス配索構造。
【請求項３】
ラジエータサポートに保持されたラジエータの上部を横断して配索されるワイヤーハーネスの配索構造において、前記ラジエータサポートの上部を覆うラジエータサポートカバーに複数のワイヤーハーネス支持片を設け、この支持片伝いにワイヤーハーネスを配索したことを特徴とするワイヤーハーネス配索構造。
【発明の詳細な説明】
【技術分野】
【０００１】
本発明は、自動車のエンジンルーム内でラジエータの上部を横断して配索されるワイヤーハーネスの配索構造に関するものである。
【背景技術】
【０００２】
自動車のエンジンルームの前部には、エンジン冷却装置としてラジエータが設置されている。一方、自動車の前部には左右対称にヘッドランプ等が設置されており、これらヘッドランプ等に配線されるワイヤーハーネスは、最短の配線経路をとるため、通常はラジエータの上部を横断するように配索されている。例えば特許文献１には、ラジエータを保持するラジエータサポートの上部にワイヤーハーネスを樹脂に埋設した状態で配索する構造が開示されている。
【０００３】
また図５に示すように、ラジエータの上部に設けられるラジエータサポートアッパー１２ａの側面に複数の係止穴２６を形成しておき、ワイヤーハーネス１６の保護チューブ２８に取り付けた複数の係止部材３０を、前記係止穴２６に差し込むことで、ワイヤーハーネス１６を配索する構造も実用化されている。この場合、ラジエータサポートアッパー１２ａの上部には通常、ラジエータ周りの見栄えをよくするため、ラジエータサポートカバーが設けられる。
【０００４】
【特許文献１】実開昭６２−４１２５９号公報
【発明の開示】
【発明が解決しようとする課題】
【０００５】
しかしながら、特許文献１に開示された配索構造では、ワイヤーハーネスを樹脂に埋設したり、樹脂と一体に形成した係止突起をラジエータサポートアッパーに取り付けたりする必要があり、ワイヤーハーネスの製造及び組み付けが面倒である。また図５のような配索構造でも、ワイヤーハーネスを保護チューブで保護した上に、保護チューブに取り付けられた複数の係止部材をラジエータサポートアッパーに取り付ける必要があり、やはりワイヤーハーネスの組立、組み付けが面倒で、手間がかかる。
【０００６】
本発明の目的は、上記のような問題点に鑑み、ワイヤーハーネスに係止部材等を取り付けることなく、非常に簡単な作業でワイヤーハーネスを配索できるワイヤーハーネス配索構造を提供することにある。
【課題を解決するための手段】
【０００７】
本発明は、ラジエータサポートに保持されたラジエータの上部を横断して配索されるワイヤーハーネスの配索構造において、前記ラジエータサポートの上部を覆うラジエータサポートカバーにワイヤーハーネスを通す溝状空間を設け、この溝状空間にワイヤーハーネスを配索したことを特徴とするものである。
【０００８】
また本発明のワイヤーハーネス配索構造は、前記溝状空間の両側の縁に相当する部分に係止部を設け、これらの係止部を前記溝状空間の両側の縁を狭めるようにして互いに係合させることにより、溝状空間に配索されたワイヤーハーネスを溝状空間の内壁で押圧固定した構成とすることが好ましい。
【０００９】
また本発明のワイヤーハーネス配索構造は、ラジエータサポートの上部を覆うラジエータサポートカバーに複数のワイヤーハーネス支持片を設け、この支持片伝いにワイヤーハーネスを配索した構成とすることもできる。
【発明の効果】
【００１０】
本発明によれば、従来はラジエータ周りの見栄え、保護遮蔽の目的にしか使われていなかったラジエータサポートカバーを利用してワイヤーハーネスの配索空間を作り、そこにワイヤーハーネスを配索するだけでよいので、従来に比べ非常に簡単な作業でワイヤーハーネスを配索することができる。
【００１１】
特にラジエータサポートカバーの溝状空間に配索されたワイヤーハーネスを、溝状空間の内壁で押圧固定する構造にすれば、従来のような樹脂によるワイヤーハーネスの埋め込み、ワイヤーハーネスの保護チューブ通し、複数の係止部材による固定といった作業が必要なくなるので、ワイヤーハーネスの組立、配索、固定を非常に簡単に行うことができる。
【００１２】
またラジエータサポートカバーに支持片を設け、そこにワイヤーハーネスを支持させる構造でも、従来に比べ非常に簡単な作業でワイヤーハーネスを配索することができる。
【発明を実施するための最良の形態】
【００１３】
〔実施形態１〕  図１は本発明の一実施形態を示す。図において、１０はラジエータ、１２はラジエータ１０を保持するラジエータサポート、１２ａはラジエータサポートアッパー、１４はラジエータサポート１２の上部を覆うラジエータサポートカバー、１６はラジエータ１０の上部を横断して配索されるワイヤーハーネスである。
【００１４】
このワイヤーハーネス配索構造の特徴は、ラジエータサポートカバー１４にワイヤーハーネス１６を通す溝状空間１８を設け、この溝状空間１８にワイヤーハーネス１６を配索したことである。溝状空間１８はラジエータサポートカバー１４の一端側を折り返すことで簡単に形成することができる。ワイヤーハーネス１６は、溝状空間１８の内壁で押さえ付けて、移動しないようにすることが好ましい。
【００１５】
なお溝状空間１８は、ラジエータサポートカバー１４に溝状空間形成用の別部材を取り付けることで形成してもよい。
【００１６】
〔実施形態２〕  図２は本発明の他の実施形態を示す。このワイヤーハーネス配索構造では、ラジエータサポートカバー１４に形成された溝状空間１８の、一方の縁に相当する部分に適当な間隔で係止突起２０を形成し、他方の縁に相当する部分に同じ間隔で係止穴２２を形成してある。そして前記係止突起２０を、溝状空間１８の両側の縁を狭めるようにして係止穴２２に係合させることにより、溝状空間１８に配索されたワイヤーハーネス１６を溝状空間の内壁１８ａで押圧固定したものである。このような構造にすると、ワイヤーハーネス１６をより確実に固定することができる。上記以外の構成は実施形態１と同じであるので、同一部分には同一符号を付して説明を省略する。
【００１７】
〔実施形態３〕  図３は本発明のさらに他の実施形態を示す。このワイヤーハーネス配索構造では、ラジエータサポートカバー１４の幅方向中間部を折り曲げることによって溝状空間１８を形成し、この溝状空間１８の、一方の縁に相当する部分に係止突起２０を形成し、他方の縁に相当する部分に係止穴２２を形成してある。そして前記溝状空間１８にワイヤーハーネス１６を配索し、前記係止突起２０を、溝状空間１８の両側の縁を狭めるようにして係止穴２２に係合させることにより、溝状空間１８に配索されたワイヤーハーネス１６を溝状空間の内壁で押圧固定したものである。このような構造でも実施形態２と同様な効果を得ることができる。上記以外の構成は実施形態１と同じであるので、同一部分には同一符号を付して説明を省略する。
【００１８】
〔実施形態４〕  図４は本発明のさらに他の実施形態を示す。このワイヤーハーネス配索構造は、ラジエータサポートカバー１４の一端側に複数のワイヤーハーネス支持片２４を設け、この支持片２４伝いにワイヤーハーネス１６を配索したものである。この場合も、支持片２４によってワイヤーハーネス１６を押さえ付け、ワイヤーハーネス１６が移動しないようにすることが好ましい。上記以外の構成は実施形態１と同じであるので、同一部分には同一符号を付して説明を省略する。
【図面の簡単な説明】
【００１９】
【図１】本発明に係るワイヤーハーネス配索構造の一実施形態を示す、（Ａ）は平面図、（Ｂ）は正面図、（Ｃ）は（Ｂ）のＣ−Ｃ線断面図。
【図２】本発明に係るワイヤーハーネス配索構造の他の実施形態を示す、（Ａ）は断面図、（Ｂ）は要部の拡大断面図。
【図３】本発明に係るワイヤーハーネス配索構造のさらに他の実施形態を示す断面図。
【図４】本発明に係るワイヤーハーネス配索構造のさらに他の実施形態を示す、（Ａ）は正面図、（Ｂ）は（Ａ）のＢ−Ｂ線断面図。
【図５】従来のワイヤーハーネス配索構造の一例を示す斜視図。
【符号の説明】
【００２０】
１０：ラジエータ
１２：ラジエータサポート
１２ａ：ラジエータサポートアッパー
１４：ラジエータサポートカバー
１６：ワイヤーハーネス
１８：溝状空間
２０：係止突起
２２：係止穴
２４：ワイヤーハーネス支持片
【図１】
2005297627.tif 000003
【図２】
2005297627.tif 000004
【図３】
2005297627.tif 000005
【図４】
2005297627.tif 000006
【図５】
2005297627.tif 000007